(57)【要約】【課題】  紙幣を支払う顧客に不快感を与えることなく、また暗い場所においても容易に紙幣の透かしの有無や透かしと紛らわしいものを識別することができる金銭トレイを提供する。【解決手段】  金銭の授受に際して用いる金銭トレイ２は、本体４の上面に紙幣を広げた状態で載置できる大きさの略矩形状の載置面６を有し、該紙幣の載置面６の少なくとも紙幣の透かしに対応する部位を透過性を有する合成樹脂プレートで形成する。該載置面６の背後に複数の高輝度発光ダイオード８ａ，８ａを配列した基板８を埋設する。【選択図】        図１
0003109920.tif 000002
【実用新案登録請求の範囲】
【請求項１】
金銭の授受に際して用いる金銭トレイであって、
少なくとも紙幣を広げた状態で載置できる大きさの略矩形状の載置面を有し、
該紙幣の載置面の少なくとも紙幣の透かしに対応する部位を透光性部材で形成するとともに、該載置面の背後に発光手段を埋設した、
ことを特徴とする偽札識別装置付金銭トレイ。
【請求項２】
発光手段が発光ダイオードである、
ことを特徴とする請求項１に記載の偽札識別装置付金銭トレイ。
【請求項３】
紙幣の載置面の下部に発光手段の電源としての電池を収容した、
ことを特徴とする請求項１又は２に記載の偽札識別装置付金銭トレイ。
【請求項４】
透光性部材が乳白色の合成樹脂プレートである、
ことを特徴とする請求項１乃至３のいずれかに記載の偽札識別装置付金銭トレイ。
【考案の詳細な説明】
【技術分野】
【０００１】
本考案は、金銭の授受に際して用いる金銭トレイに関し、さらに具体的には、紙幣をトレイ上に載置するだけで紙幣の透かしの有無を容易に確認することができる偽札の識別手段を具備した偽札識別装置付金銭トレイに関するものである。
【背景技術】
【０００２】
近年、カラーコピー機や、パーソナルコンピューター及びその周辺機器（スキャナ、プリンター等）の性能向上により、紙幣の偽造を比較的容易に、且つ精巧にできるようになってしまっている。また、インターネットの普及により、紙幣を偽造するためのソフトやマニュアル等が出回っており、それらを悪用した紙幣の偽造や偽札の使用等の事件が発生している。
【０００３】
而して、紙幣には偽造を防止するための様々な特殊印刷技術が採用されており、視覚的に識別可能な最も有効な手段の一つとして、紙幣の中央に透かし印刷が施されている。したがって、店舗等での金銭の授受に際して、紙幣を太陽光や電灯の光にかざして透かしの有無を確認すれば、本物の紙幣であるか、あるいは偽造された偽札であるかを容易に識別できるが、商取引上の顧客から手渡された紙幣を、その場で太陽光や電灯の光にかざして透かしの有無を確認することは、顧客に対して不快感を与えることになり、商取引上有利ではない。また、偽札の中には、透かしの絵柄のみ白抜きにして周囲に極薄い印刷を施すことによって、透かしと紛らわしいものを施したものもあり、このような偽札は、明るい場所では透かしの絵柄が反転していることで比較的容易に偽物であることを識別することができるが、特に薄暗い支払カウンターや夜間のタクシーの車内などの暗い場所では、透かしのようなものが印刷されているだけで偽札を本物の紙幣と見紛う場合も考えられる。
【考案の開示】
【考案が解決しようとする課題】
【０００４】
本考案の技術的課題は、紙幣を支払う顧客に不快感を与えることなく、また暗い場所においても容易に紙幣の透かしの有無や透かしと紛らわしいものを識別することができる金銭トレイを提供することにある。
【課題を解決するための手段】
【０００５】
上記課題を解決するための本考案は、金銭の授受に際して用いる金銭トレイであって、少なくとも紙幣を広げた状態で載置できる大きさの略矩形状の載置面を有し、該紙幣の載置面の少なくとも紙幣の透かしに対応する部位を透光性部材で形成するとともに、該載置面の背後に発光手段を埋設したことを特徴とするものである。
【０００６】
上記偽札識別装置付金銭トレイの好ましい実施形態においては、発光手段を発光ダイオードとすることができ、また、紙幣の載置面の下部に発光手段の電源としての電池を収容することができる。
さらに、上記透光性部材は乳白色の合成樹脂プレートで構成するのが有効である。
【０００７】
上記構成を有する偽札識別装置付金銭トレイは、金銭の授受に際して、載置面の背後に埋設した発光手段を発光させることにより、該載置面上に載せた紙幣の透かしの有無や透かしと紛らわしいものを容易に識別することができるので、紙幣を支払った顧客の面前でその紙幣を太陽光や電灯の光にかざすことによって顧客に不快感を与えるようなことはなく、また薄暗い支払カウンターや夜間のタクシーの車内などの暗い場所においても、本物の紙幣か、あるいは偽造された偽札かを容易に識別することができる。
【考案の効果】
【０００８】
以上に詳述した本考案の偽札識別装置付金銭トレイによれば、金銭の授受に際して、載置面の背後に埋設した発光手段を発光させた状態で該載置面上に紙幣を載せるだけで、紙幣の透かしの有無や透かしと紛らわしいものを容易に識別することができるので、紙幣を支払った顧客の面前でその紙幣を太陽光や電灯の光にかざすことによって顧客に不快感を与えるようなことはなく、また薄暗い支払カウンターや夜間のタクシーの車内などの暗い場所においても、本物の紙幣か、あるいは偽造された偽札かを容易に識別することができる。
【考案を実施するための最良の形態】
【０００９】
図１及び図２は、本考案に係る偽札識別装置付金銭トレイの実施例を示している。
この金銭トレイ２は、透光性を有する乳白色の合成樹脂プレートにより平面視略矩形の皿状の形成した本体４を有し、該本体４の上面には、紙幣を広げた状態で載置できる大きさの略矩形状の載置面６が形成されている。
なお、上記本体４は、上述した平面視略矩形のものに限定されるものではなく、上面に紙幣を広げた状態で載置できる略矩形状の載置面が形成できる程度のスペースが確保できれば、円形や楕円形、あるいは任意の多角形等に形成することができる。
また、上記本体４は、載置面の背後に埋設した発光手段の発光により紙幣の透かしを識別するに充分な透光性を有する部材であれば、任意の材質及び色調からなる部材を適用することができる。
さらに、上記本体４は、紙幣の載置面６の紙幣の透かしに対応する部位（後述する高輝度発光ダイオード８ａ，８ａを配列した基板８の上部に対応する部位）のみを透光性部材で形成し、その他の部位は非透光性の部材で形成することもできる。
【００１０】
上記載置面６の中央における紙幣の透かしに対応する部位の背後には、発光手段を構成する複数の高輝度発光ダイオード８ａ，８ａを配列した基板８が埋設されており、また、載置面６の下部における該基板８の両側には、上記発光ダイオード８ａ，８ａを発光させる電源としての電池１０が収容されている。そして、上記本体４の長手方向の一端に設けたスイッチ１２により、上記発光ダイオード８ａ，８ａのオン／オフができるように構成している。
なお、上記発光手段としては、紙幣の透かしを識別できる程度の輝度を有するものであれば、高輝度発光ダイオードに限らず、任意の面状発光手段を適用することができる。
また、上記発光ダイオード８ａ，８ａをオン／オフするためのスイッチは、上述した手動によりオン／オフを行うものに限定されず、例えば、紙幣の載置面の下部に光電センサを利用した近接スイッチを埋設し、該近接スイッチで載置面に紙幣が載せられたことを検出することにより、自動的に上記発光ダイオードをオン／オフすることができるように構成することもできる。
【００１１】
上記構成を有する偽札識別装置付金銭トレイ２は、店舗等での金銭の授受に際して、載置面６の背後に埋設した基板８上の高輝度発光ダイオード８ａ，８ａを発光させた状態で該載置面６上に紙幣を載せるだけで、紙幣の透かしの有無を容易に識別することができ、しかも、透かし部分に極薄い印刷をすることによって透かしと紛らわしいものを施した偽札でも、絵柄が反転したり、あるいは本来の透かしとは異なる態様で現れることで容易に識別することができる。したがって、紙幣を支払った顧客の面前でその紙幣を太陽光や電灯の光にかざすことによって顧客に不快感を与えるようなことはなく、また薄暗い支払カウンターや夜間のタクシーの車内などの暗い場所においても、本物の紙幣か、あるいは偽造された偽札かを容易に識別することができる。
さらに、顧客に渡すつり銭の中に紙幣がある場合には、その紙幣を上記金銭トレイ２上に載せることにより、紙幣に透かしがあること、すなわち紙幣が本物であることを呈示することができる。
【図面の簡単な説明】
【００１２】
【図１】本考案に係る偽札識別装置付金銭トレイの平面図である。
【図２】同正断面図である。
【符号の説明】
【００１３】
２    金銭トレイ
４    本体
６    載置面
８    基板
８ａ  高輝度発光ダイオード
１０    電池
【図１】
0003109920.tif 000003
【図２】
0003109920.tif 000004